(57)【要約】【課題】受信側の転送の設定で重要性の低い留守録された伝言メッセージ、即時性必要性の低い留守録された伝言メッセージの転送を回避する。【解決手段】発信側の電話機４１−４Ｎから伝言メッセージを留守録する留守録機能を有する電話機に、前記発信側の電話機からの伝言メッセージを受信し記憶する複数のメッセージ記録領域７１−７Ｎと、前記発信側の電話機からの転送有無情報をダイヤル信号で受信し、記憶された前記伝言メッセージと対応して記憶する複数の転送有無情報記録領域８１−８Ｎと、転送する条件、転送しない条件を登録し、前記転送有無情報記録領域に記憶されている転送有無情報を前記転送する条件、前記転送しない条件と照合し、前記転送する条件と一致する転送有無情報に対応する伝言メッセージの転送を許可する転送有無情報照合部６１とを備える。【選択図】  図１
2004229118.tif 000002
【特許請求の範囲】
【請求項１】
発信側の電話機から伝言メッセージを留守録する留守録機能を有する電話機において、
前記発信側の電話機からの伝言メッセージを受信し記憶する複数のメッセージ記録領域と、
前記発信側の電話機からの転送有無情報をダイヤル信号で受信し、記憶された前記伝言メッセージと対応して記憶する複数の転送有無情報記録領域と、
転送する条件、転送しない条件を登録し、前記転送有無情報記録領域に記憶されている転送有無情報を前記転送する条件、前記転送しない条件と照合し、前記転送する条件と一致する転送有無情報に対応する伝言メッセージの転送を許可する転送有無情報照合部とを備えることを特徴とする留守録機能を有する電話機。
【請求項２】
前記発信側の電話機では、転送有無情報として、転送する情報をダイヤル信号「１（ＤＴＭＦ）」を用いて入力し、転送しない情報をダイヤル信号「０（ＤＴＭＦ）」を用いて入力することを特徴とする、請求項１に記載の留守録機能を有する電話機。
【請求項３】
前記転送しない情報をダイヤル信号「１」を除く、ダイヤル信号「２」、「３」、「４」、「５」、「６」、「７」、「８」、「９」、「＃」、「＊」の１つを用いて入力し、又はダイヤル信号の入力なしで前記転送しない情報の入力とすることを特徴とする、請求項２に記載の留守録機能を有する電話機。
【請求項４】
伝言メッセージを留守録する留守録機能を有する電話機の伝言メッセージの転送方法において、
留守録時に発信側の電話機に伝言メッセージを入力するとともに転送有無情報をダイヤル信号で入力する工程と、
前記発信側の電話機からの伝言メッセージを受信し複数のメッセージ記録領域に記憶する工程と、
前記発信側の電話機からの転送有無情報をダイヤル信号で受信し、記憶された前記伝言メッセージと対応して複数の転送有無情報記録領域に記憶する工程と、転送する条件、転送しない条件を登録し、前記転送有無情報記録領域に記憶されている転送有無情報を前記転送する条件、前記転送しない条件と照合し、前記転送する条件と一致する転送有無情報に対応する伝言メッセージの転送を許可する工程とを備えることを特徴とする留守録機能を有する電話機の伝言メッセージの転送方法。
【請求項５】
伝言メッセージを留守録する留守録機能を有する電話機システムにおいて、
留守録時に伝言メッセージを入力するとともに転送有無情報をダイヤル信号で入力する発信側の電話機と、
前記発信側の電話機からの伝言メッセージを受信し複数のメッセージ記録領域に記憶し、前記発信側の電話機からの転送有無情報をダイヤル信号で受信し、記憶された前記伝言メッセージと対応して複数の転送有無情報記録領域に記憶し、転送する条件、転送しない条件を登録し、前記転送有無情報記録領域に記憶されている転送有無情報を前記転送する条件、前記転送しない条件と照合し、前記転送する条件と一致する転送有無情報に対応する伝言メッセージの転送を許可する受信側の電話機と、
前記受信側の電話機により転送が許可された伝送メッセージを受信する転送先の電話機とを備えることを特徴とする、留守録機能を有する電話機システム。
【発明の詳細な説明】
【０００１】
【発明が属する技術分野】
本発明は留守録電話機能を有する電話機に関する。特に、本発明は、留守録された伝言メッセージの転送方法に関する。
【０００２】
【従来の技術】
転送、留守録を行う電話機の従来の技術としては、発信者が発信する呼に呼の属性を表す情報を付加して発信し、一定時間内に着信応答がない場合は発信呼属性を参照し、発信呼属性が予め着信者が指定した属性である場合は着信者が予め指定した転送先に接続し、発信呼属性が予め着信者が指定した属性でない場合は通信網内に設置されたメッセージ蓄積再生装置に接続するようにしているものがあった（例えば、特許文献１参照）。
【０００３】
図５は本発明の前提となる留守録機能を有する電話機の概略構成を示すブロック図である。なお、全図を通して同一の構成要素には同一の番号、符号を付して説明を行う。
本図に示すように、本発明の前提となる留守録機能を有する電話機は、特許文献１に記載されるものと比較すると、留守録された伝言メッセージを転送し、受信側の電話機１１には留守録電話用メモリ部２１が設けられ、留守録電話用メモリ部２１は、留守録されるべき伝言メッセージを記録するメモリであり、複数のメッセージ記録領域７１、７２、…、７Ｎ（Ｎ件の伝言メッセージ登録に対応する場合）に分割され、メッセージ記録領域７１、７２、…、７Ｎの各々は複数の発信側の電話機４１、４２、…、４Ｎからの伝言メッセージＡＡＡ、ＢＢＢ、…、ＸＸＸをそれぞれ記憶する。
【０００４】
さらに、受信側の電話機１１には”転送する”設定部２２が設けられ、”転送する”設定部２２は、転送先の電話機１００に転送すべき発信側（相手）の電話番号等を予め記憶し、記憶した電話番号を基に留守録時に伝言メッセージを転送すべきか否かを判定し、転送すべき場合には該当する伝言メッセージの転送設定を行う。
例えば、留守録電話用メモリ部２１のメッセージ記録領域７１、７２、…、７Ｎに伝言メッセージに記憶された伝言メッセージＡＡＡ、ＢＢＢ、…、ＸＸＸのうち、”転送する”設定部２２に記憶された転送すべき発信側の電話番号に対応する伝言メッセージＡＡＡ、ＢＢＢが該当する場合には、伝言メッセージＡＡＡ、ＢＢＢだけが転送先の電話機１００に転送される。
【０００５】
このようにして、留守録される伝言メッセージ登録の際、従来の受信側の電話機１１では、発信側の電話機４１、４２、…、４Ｎの伝言メッセージＡＡＡ、ＢＢＢ、…、ＸＸＸの全てをメッセージ記録領域７１、７２、…、７Ｎに記憶し、転送する場合には、記録された全ての伝言メッセージＡＡＡ、ＢＢＢ、…、ＸＸＸのうち、”転送する”設定部２２によって発信側の電話番号に基づいて予め「転送する」に設定されている伝言メッセージＡＡＡ、ＢＢＢのみの転送が行われていた。
【０００６】
しかしながら、留守録された伝言メッセージＡＡＡ、ＢＢＢ、…、ＸＸＸは受信側の電話機１１の”転送する”設定部２２によって「転送する」／「転送しない」が決定されているので、発信者にとって重要性の低い伝言メッセージ、発信者にとって即時必要性の低いメッセージまでが転送されるという問題があった。また、本発明の前提となる留守録機能を有する電話機との関連で、従来の技術としては、着信ユーザが不在又は圏外であった場合に不在案内、着信転送といったサービスが発信ユーザによって制御され、着信ユーザの電話番号の前に特番を付与してダイヤルし、不在案内、着信転送といったサービスが行われないようにしているものがある（例えば、特許文献２参照）。
【０００７】
【特許文献１】
特開平１０−２２４４７４号公報（段落００１２、図１参照）
【特許文献２】
特開２００１−１３６２９０号公報（段落０００６、段落０００７、図１参照）
【０００８】
しかしながら、特許文献２の上記従来の技術では、一般的には電話をかける際には相手が電話に出ることを前提にかけることが多く、予め電話番号の前に特番等を付加してダイヤルするのは面倒であるという問題がある。
【０００９】
【発明が解決しようとする課題】
したがって、本発明は上記問題点に鑑みて、受信側の転送の設定で発信側にとって重要性の低い留守録された伝言メッセージ、即時性必要性の低い留守録された伝言メッセージの転送を回避でき、発信側の簡単な入力操作で伝言メッセージの転送を可能にする、留守録機能を有する電話機及びその留守録された伝言メッセージの転送方法を提供することを目的とする。
【００１０】
【課題を解決するための手段】
本発明は前記問題点を解決するために、発信側の電話機から伝言メッセージを留守録する留守録機能を有する電話機において、前記発信側の電話機からの伝言メッセージを受信し記憶する複数のメッセージ記録領域と、前記発信側の電話機からの転送有無情報をダイヤル信号で受信し、記憶された前記伝言メッセージと対応して記憶する複数の転送有無情報記録領域と、転送する条件、転送しない条件を登録し、前記転送有無情報記録領域に記憶されている転送有無情報を前記転送する条件、前記転送する条件と照合し、前記転送しない条件と一致する転送有無情報に対応する伝言メッセージの転送を許可する転送有無情報照合部とを備えることを特徴とする留守録機能を有する電話機を提供する。
【００１１】
この手段により、受信側の転送の設定で発信側にとって重要性の低い留守録された伝言メッセージ、即時性必要性の低い留守録された伝言メッセージの転送を回避できる。
さらに、前記発信側の電話機では、転送有無情報として、転送する情報をダイヤル信号「１（ＤＴＭＦ）」を用いて入力し、転送しない情報をダイヤル信号「０（ＤＴＭＦ）」を用いて入力する。
【００１２】
この手段により、上記のダイヤル信号（ＤＴＭＦ）の使用により、発信側の電話機から転送有無情報の入力操作を容易に行うことが可能になる。
好ましくは、前記転送しない情報をダイヤル信号「１」を除く、ダイヤル信号「２」、「３」、「４」、「５」、「６」、「７」、「８」、「９」、「＃」、「＊」の１つを用いて入力し、又はダイヤル信号の入力なしで前記転送しない情報の入力とする。
【００１３】
この手段により、ダイヤル信号の組み合わせで、転送有無情報の選択範囲を広くすることが可能になる。
さらに、本発明は、伝言メッセージを留守録する留守録機能を有する電話機の伝言メッセージの転送方法において、留守録時に発信側の電話機に伝言メッセージを入力するとともに転送有無情報をダイヤル信号で入力する工程と、前記発信側の電話機からの伝言メッセージを受信し複数のメッセージ記録領域に記憶する工程と、前記発信側の電話機からの転送有無情報をダイヤル信号で受信し、記憶された前記伝言メッセージと対応して複数の転送有無情報記録領域に記憶する工程と、転送する条件、転送しない条件を登録し、前記転送有無情報記録領域に記憶されている転送有無情報を前記転送する条件、前記転送しない条件と照合し、前記転送する条件と一致する転送有無情報に対応する伝言メッセージの転送を許可する工程とを備えることを特徴とする留守録機能を有する電話機の伝言メッセージの転送方法を提供する。
【００１４】
この手段により、上記発明と同様に、受信側の転送の設定で発信側にとって重要性の低い留守録された伝言メッセージ、即時性必要性の低い留守録された伝言メッセージの転送を回避でき、さらに、発信側の電話機から転送有無情報の入力操作を容易に行うことが可能になる。
さらに、本発明は、伝言メッセージを留守録する留守録機能を有する電話機システムにおいて、留守録時に伝言メッセージを入力するとともに転送有無情報をダイヤル信号で入力する発信側の電話機と、前記発信側の電話機からの伝言メッセージを受信し複数のメッセージ記録領域に記憶し、前記発信側の電話機からの転送有無情報をダイヤル信号で受信し、記憶された前記伝言メッセージと対応して複数の転送有無情報記録領域に記憶し、転送する条件、転送しない条件を登録し、前記転送有無情報記録領域に記憶されている転送有無情報を前記転送する条件、前記転送しない条件と照合し、前記転送する条件と一致する転送有無情報に対応する伝言メッセージの転送を許可する受信側の電話機と、前記受信側の電話機により転送が許可された伝送メッセージを受信する転送先の電話機とを備えることを特徴とする、留守録機能を有する電話機システムを提供する。
【００１５】
この手段により、上記発明と同様に、受信側の転送の設定で発信側にとって重要性の低い留守録された伝言メッセージ、即時性必要性の低い留守録された伝言メッセージの転送を回避でき、さらに、発信側の電話機から転送有無情報の入力操作を容易に行うことが可能になる。
【００１６】
【発明の実施の形態】
以下、本発明の実施の形態について図面を参照して説明する。
図１は本発明に係る留守録機能を有する電話機の概略構成を示すブロック図である。本図に示すように、図５と比較して、受信側の電話機１１の留守録電話用メモリ部２１は、複数の記憶部３１、３２、…、３Ｎに分割され、記憶部３１、３２、…、３Ｎの各々には、メッセージ記録領域７１、７２、…、７Ｎ、転送有無情報記録領域８１、８２…、８Ｎが対に設けられる。
【００１７】
メッセージ記録領域７１、７２、…、７Ｎは、前述と同様に、受信した伝言メッセージＡＡＡ、ＢＢＢ、…、ＸＸＸをそれぞれ記憶する。
転送有無情報記録領域８１、８２…、８Ｎは伝言メッセージ登録の際に発信者により入力され受信した転送有無情報を登録する。
発信者は伝言メッセージ登録の際、伝言メッセージとともに、転送有無情報（「転送する」／「転送しない」）を判定するための情報を入力することとする。転送有無情報の入力手段としては、発信者側の電話機が発信するダイヤル信号（ＤＴＭＦ）を使用する。
【００１８】
さらに、受信側の電話機１１には転送有無情報照合部６１が設けられ、転送有無情報照合部６１は、転送する条件、転送しない条件を設定し、発信側の電話機から入力された転送有無情報記録領域８１、８２…、８Ｎに記録された転送有無情報について、転送すべきか、転送しないかのいずれかの判定を行い、転送すべきと判断した場合には、該当する伝言メッセージを転送先の電話機１００に転送することを許可する。
【００１９】
図２は図１における留守録機能を有する電話機の転送動作の例を説明する図である。
本図に示すように、発信側の電話機４１では：メッセージＡＡＡ、転送有無情報：転送しない「０（ＤＴＭＦ）」、発信側の電話機４２では：メッセージＢＢＢ、転送有無情報：転送する「１（ＤＴＭＦ）」、…、発信側の電話機４Ｎでは：メッセージＸＸＸ、転送有無情報：転送する「１（ＤＴＭＦ）」との入力がそれぞれの発信者により行われるとする。
【００２０】
このようにして、発信者は、相手に電話し、相手が電話に出ないことがわかると、留守録させる伝言メッセージを入力し、上記のダイヤル信号（ＤＴＭＦ）の使用により、発信側の電話機で転送有無情報の入力操作を容易に行うことが可能になる。
留守録時には上記の情報が発信側の電話機４１、４２、…、４Ｎから受信側の電話機１１に送信され、留守録電話用メモリ部２１のメッセージ記録領域７１、７２、…、７Ｎには伝言メッセージＡＡＡ、ＢＢＢ、…、ＸＸＸが記憶される。
【００２１】
さらに、留守録電話用メモリ部２１の転送有無情報記録領域８１、８２…、８Ｎには転送有無情報：「０」、「１」、…、「１」のデータが記憶される。
転送有無情報照合部６１は、転送する条件「１」、転送しない条件「０」を設定し、発信側の電話機から入力された転送有無情報記録領域８１、８２…、８Ｎに記録された転送有無情報について、設定されている転送する条件か、転送しない条件かとの照合を行い、転送する条件と一致する照合がある場合には、該当する転送有無情報記録領域と対になっているメッセージ記録領域に記憶されている伝言メッセージを転送先の電話機１００に転送することを許可する。
【００２２】
図３は図１又は図２の転送有無情報照合部６１の動作例を説明するフローチャートである。
本図に示すように、ステップＳ２０１において、転送有無情報照合部６１では照合条件として、転送する条件「１」、転送しない条件「０」の設定が行われる。
ステップＳ２０２において、ｎ＝１と設定する。
【００２３】
ステップＳ２０３において、転送有無情報記録領域８１に記憶されている転送情報「０」が転送する条件「１」又は転送しない条件「０」のいずれかに一致するかの照合を行う。
ステップＳ２０４において、転送情報「０」が転送する条件「１」に一致するか否かを判定する。一致しないと判定し、転送有無情報記録領域８１と対をなすメッセージ記録領域７１に記憶されている伝言メッセージＡＡＡの転送を許可せず、ステップＳ２０５に進む。
【００２４】
ステップＳ２０５において、ｎ＝Ｎが成立するか否かを判定する。ｎ＝１であるので、ステップＳ２０６に進む。
ステップＳ２０６において、ｎ＝１＋１＝２と設定し、ステップＳ２０３に進み、上記処理の繰り返しを行う。
ステップＳ２０３において、転送有無情報記録領域８２に記憶されている転送情報「１」が転送する条件「１」又は転送しない条件「０」のいずれかに一致するかとの照合を行う。
【００２５】
ステップＳ２０４において、転送情報「１」が転送する条件「１」に一致するか否かを判定する。一致すると判定し、ステップＳ２０７に進む。
ステップＳ２０７において、転送有無情報記録領域８２と対をなすメッセージ記録領域７２に記憶されている伝言メッセージＢＢＢの転送を許可する。
ステップＳ２０５において、ｎ＝Ｎが成立するか否かを判定する。ｎ＝２であるので、ステップＳ２０６に進む。
【００２６】
ステップＳ２０６において、ｎ＝２＋１＝３と設定し、ステップＳ２０３に進み、上記処理の繰り返しを行う。
ステップＳ２０３でｎ＝Ｎとなった場合、転送有無情報記録領域８Ｎに記憶されている転送情報「１」が転送する条件「１」又は転送しない条件「０」のいずれかに一致するかとの照合を行う。
【００２７】
ステップＳ２０４において、転送情報「１」が転送する条件「１」に一致するか否かを判定する。一致すると判定し、ステップＳ２０７に進む。
ステップＳ２０７において、転送有無情報記録領域８Ｎと対をなすメッセージ記録領域７Ｎに記憶されている伝言メッセージＸＸＸの転送を許可する。
ステップＳ２０５において、ｎ＝Ｎが成立するか否かを判定する。成立するので、処理を終了する。
【００２８】
図４は図２における転送動作の別の例を説明する図である。本図に示すように、転送有無情報照合部６１では転送する条件として「１」が登録され、その他（「１」以外の、例えば、「２」、「３」、「４」、「５」、「６」、「７」、「８」、「９」、「＃」、「＊」の１つの入力、又はｎｕｌｌ：入力なし）の場合は転送しない条件として登録が行われる。
【００２９】
メッセージ転送を必要としない場合、発信側の電話機４１では、発信者が伝言メッセージＡＡＡのみを入力し、転送有無情報を入力しない（ｎｕｌｌ）。
受信側の電話機１１の留守録電話用メモリ部２１における記憶部３１のメッセージ記録領域７１にはメッセージＡＡＡが登録され、転送有無情報記録領域８１には何も登録されない（ｎｕｌｌ）。
【００３０】
この場合、転送有無情報照合部６１では、転送有無情報記録領域８１には何も登録されていないことを確認して、メッセージ記録領域７１のメッセージＡＡＡの転送は転送先の電話機１００に対して許可されない。
次に、発信側の電話機４２では、発信者が伝言メッセージＢＢＢを入力し、転送有無情報：転送する情報「１（ＤＴＭＦ」）を入力する。
【００３１】
メッセージ記録領域７２にはメッセージＢＢＢが登録され、転送有無情報記録領域８２には「１」が登録される。
この場合、転送有無情報照合部６１では、転送有無情報記録領域８２に「１」が登録されていることを確認して、メッセージ記録領域７２のメッセージＢＢＢの転送は転送先の電話機１００に対して許可される。
【００３２】
発信側の電話機４Ｎでは、発信者が伝言メッセージＸＸＸを入力し、転送有無情報：転送する情報「１（ＤＴＭＦ）」を入力する。
メッセージ記録領域７１にはメッセージＸＸＸが登録され、転送有無情報記録領域８Ｎには「１」が登録される。
この場合、転送有無情報照合部６１では、転送有無情報記録領域８Ｎには「１」が登録されていることを確認して、メッセージ記録領域７ＮのメッセージＸＸＸの転送は転送先の電話機１００に対して許可される。
【００３３】
このようにして、ダイヤル信号の組み合わせで、転送有無情報の選択範囲を広くすることが可能になる。
【００３４】
【発明の効果】
以上説明したように、本発明によれば、留守録時に発信側の電話機に伝言メッセージを入力するとともに転送有無情報をダイヤル信号で入力し、前記発信側の電話機からの伝言メッセージを受信し複数のメッセージ記録領域に記憶し、前記発信側の電話機からの転送有無情報をダイヤル信号で受信し、記憶された前記伝言メッセージと対応して複数の転送有無情報記録領域に記憶し、転送する条件、転送しない条件を登録し、前記転送有無情報記録領域に記憶されている転送有無情報を前記転送する条件、前記転送しない条件と照合し、前記転送する条件と一致する転送有無情報に対応する伝言メッセージの転送を許可するようにしたので、受信側の転送の設定で重要性の低い留守録された伝言メッセージ、即時性必要性の低い留守録された伝言メッセージの転送を回避でき、さらに、発信側の電話機から容易に転送有無情報の入力を容易に行うことが可能になる。
【図面の簡単な説明】
【図１】本発明に係る留守録機能を有する電話機の概略構成を示すブロック図である。
【図２】図１における留守録機能を有する電話機の転送動作の例を説明する図である。
【図３】図１又は図２の転送有無情報照合部６１の動作例を説明するフローチャートである。
【図４】図２における転送動作の別の例を説明する図である。
【図５】本発明の前提となる留守録機能を有する電話機の概略構成を示すブロック図である。
【符号の説明】
１１…受信側の電話機
２１…留守録電話用メモリ部
３１、３２、…、３Ｎ…記憶部
４１、４２、…、４Ｎ…発信側の電話機
６１…転送有無情報照合部
７１、７２、…、７Ｎ…メッセージ記録領域
８１、８２、…、８Ｎ…転送有無情報記録領域
１００…転送先の電話機
【図１】
2004229118.tif 000003
【図２】
2004229118.tif 000004
【図３】
2004229118.tif 000005
【図４】
2004229118.tif 000006
【図５】
2004229118.tif 000007